(57)【要約】【課題】広告用コンテンツの表示場所を最適化することを課題とする。【解決手段】広告表示システム５０は、複数の表示装置６０およびコンテンツ配信装置７０を有する。表示装置６０は、異なる場所に設置される。コンテンツ配信装置７０は、表示装置６０と通信可能な状態に接続される。コンテンツ配信装置７０は広告調整部７１を有する。広告調整部７１は、表示装置６０に表示される広告用コンテンツについて計測された当該広告用コンテンツへの注目度に基づいて、表示装置６０に配信する広告用コンテンツを別の広告用コンテンツに差し替える。さらに、広告調整部７１は、差し替えられた広告用コンテンツを他の表示装置６０に配信する。【選択図】図１
2011197475.tif 000002
【特許請求の範囲】
【請求項１】
表示される広告用コンテンツについての注目度を計測する注目度計測部を有し、異なる場所に設置される複数の表示装置と、
前記複数の表示装置に接続され、前記複数の表示装置に表示される広告用コンテンツのそれぞれの注目度に基づいて、前記複数の表示装置の一つの表示装置に配信する広告用コンテンツを別の広告用コンテンツに差し替えるとともに、当該差し替えられた広告用コンテンツを他の表示装置に配信する広告調整部を有するコンテンツ配信装置と
を有することを特徴とする広告表示システム。
【請求項２】
前記コンテンツ配信装置は、前記表示装置が設置される場所の属性情報を記憶する属性情報記憶部をさらに有し、
前記広告調整部は、前記差し替えられた広告用コンテンツを他の表示装置に配信する場合に、前記属性情報記憶部に記憶されている前記属性情報を参照し、前記差し替えられた広告用コンテンツを表示していた表示装置の属性とは異なる属性を有する表示装置に当該差し替えられた広告用コンテンツを配信することを特徴とする請求項１に記載の広告表示システム。
【請求項３】
前記コンテンツ配信装置は、前記広告用コンテンツの配信時間帯を変更する時間帯変更部をさらに有することを特徴とする請求項１に記載の広告表示システム。
【請求項４】
前記時間帯変更部は、前記注目度が所定の閾値を上回っている広告用コンテンツの配信時間帯を変更することを特徴とする請求項３に記載の広告表示システム。
【請求項５】
表示される広告用コンテンツについての注目度を計測する注目度計測部を有し、異なる場所に設置される複数の表示装置に接続され、該複数の表示装置に表示される広告用コンテンツのそれぞれの注目度に基づいて、該複数の表示装置の一つの表示装置に配信する広告用コンテンツを別の広告用コンテンツに差し替えるとともに、当該差し替えられた広告用コンテンツを他の表示装置に配信するコンテンツ配信装置が行う広告調整ステップを含むことを特徴とする広告表示方法。
【請求項６】
表示される広告用コンテンツについての注目度を計測する注目度計測部を有し、異なる場所に設置される複数の表示装置に接続され、該複数の表示装置に表示される広告用コンテンツのそれぞれの注目度に基づいて、該複数の表示装置の一つの表示装置に配信する広告用コンテンツを別の広告用コンテンツに差し替えるとともに、当該差し替えられた広告用コンテンツを他の表示装置に配信する広告調整手順をコンピュータに実行させることを特徴とする広告表示プログラム。
【発明の詳細な説明】
【技術分野】
【０００１】
この発明は、広告表示システム、広告表示方法および広告表示プログラムに関する。
【背景技術】
【０００２】
例えば、ネットワークで通信可能な状態に接続された電子看板（Digital  Signage：デジタルサイネージ）などの表示装置に、広告用コンテンツを配信する広告表示システムが存在する。
【０００３】
例えば、木やプラスチック、金属など、ある程度耐久性のある材質を用いて板状に形成された、いわゆる通常の看板は、固定的な広告を掲示する。この通常の看板を用いて新たな広告の掲示を行う場合、看板に貼り付けられた広告の内容を張り替えたり、新たな広告の内容が貼り付けられた看板を設置したりする必要がある。
【０００４】
これに対して、広告表示システムは、例えば、複数の広告用コンテンツをサーバに保存しておき、表示装置に表示させる広告用コンテンツをサーバから配信することにより広告の表示を行う。このように、広告表示システムは、固定的な広告を掲示することしかできない通常の看板とは異なり、１台の表示装置でも複数の広告を動的に切り替えて表示することができる。
【０００５】
ところで、上述した広告表示システムでは、例えば、所定の表示時間あるいは所定の時刻で別の広告用コンテンツを配信することにより、表示装置に表示されている広告用コンテンツを切り替えるといった方式が一般的に採用されている。この方式では、表示装置の近傍を通行する通行人がどの程度広告を見てくれたかが判らないので、広告の費用対効果を把握するのが難しい。このため、広告表示システムを運営する広告配信事業者は、広告主から、広告用コンテンツ表示時間に応じた一定額の広告料金しか得られないというのが現状である。
【０００６】
そこで、例えば、広告に対する通行人の注目度を計測し、注目度に応じて広告料金を変更する方式１が提案されている。また、この方式に関連して、表示装置の近傍に存在する人の検知結果を、現在表示中の広告用コンテンツに対する興味度に変換し、現在表示中の広告用コンテンツに関連した詳細なコンテンツを表示する方式２も提案されている。
【先行技術文献】
【特許文献】
【０００７】
【特許文献１】特開２００３−２２０４１号公報
【特許文献２】特開２００５−２２７５２２号公報
【発明の概要】
【発明が解決しようとする課題】
【０００８】
しかしながら、上述した広告表示システムにおいて、上述した方式１や方式２などを採用したとしても、広告用コンテンツの表示場所が最適化されているとはいえない。すなわち、例えば、上述した方式１では、広告用コンテンツの注目度に応じて広告料金を変更するが、広告の表示場所を最適化するものではない。このため、上述した広告表示システムにおいて、より効果的な場所での広告表示を所望する広告主、および広告料金のさらなる徴収を所望する広告配信事業者の双方の利益が最適なものにはなっていないのが実情である。
【０００９】
開示の技術は、上記に鑑みてなされたものであって、広告用コンテンツの表示場所を最適化することが可能な広告表示システム、広告表示方法および広告表示プログラムを提供することを目的とする。
【課題を解決するための手段】
【００１０】
本願の開示する技術は、一つの態様において、複数の表示装置とコンテンツ配信装置を有する。複数の表示装置は、表示される広告用コンテンツについての注目度を計測する注目度計測部を有し、異なる場所に設置される。また、コンテンツ配信装置は、複数の表示装置に接続され、複数の表示装置に表示される広告用コンテンツのそれぞれの注目度に基づいて、複数の表示装置の一つの表示装置に配信する広告用コンテンツを別の広告用コンテンツに差し替える広告調整部を有する。また、コンテンツ配信装置は、差し替えられた広告用コンテンツを他の表示装置に配信する広告調整部を有する。
【発明の効果】
【００１１】
本願の開示する技術の一つの態様によれば、広告用コンテンツの表示場所を最適化できる。
【図面の簡単な説明】
【００１２】
【図１】図１は、実施例１に係る広告表示システムを示す図である。
【図２】図２は、実施例２に係る広告表示システムの構成を示す図である。
【図３】図３は、広告用コンテンツのデータ構造の一例を示す図である。
【図４】図４は、表示済み表示装置データの一例を示す図である。
【図５】図５は、表示装置別注目度データの一例を示す図である。
【図６】図６は、属性情報の一例を示す図である。
【図７】図７は、配信終了コンテンツリストの一例を示す図である。
【図８】図８は、広告調整部の処理内容の概要を示す図である。
【図９】図９は、実施例２に係る広告配信関連処理の流れを示す図である。
【図１０】図１０は、作業用メモリ内のデータ内容の一例を示す図である。
【図１１】図１１は、作業用メモリに記憶される配信停止コンテンツと配信先表示装置との対応関係を示す図である。
【図１２】図１２は、実施例２に係る配信先決定処理の流れを示す図である。
【図１３】図１３は、実施例２に係る表示装置検索処理１の流れを示す図である。
【図１４】図１４は、実施例２に係る表示装置検索処理２の流れを示す図である。
【図１５】図１５は、実施例３に係る広告表示システムの構成を示す図である。
【図１６】図１６は、広告用コンテンツのデータ構造の一例を示す図である。
【図１７】図１７は、表示装置別注目度データの一例を示す図である。
【図１８】図１８は、実施例３に係る時間帯変更処理の流れを示す図である。
【図１９】図１９は、実施例４に係る時間帯変更処理の流れを示す図である。
【図２０】図２０は、広告表示プログラムを実行するコンピュータの一例を示す図である。
【発明を実施するための形態】
【００１３】
以下に、図面を参照しつつ、本願の開示する広告表示システム、広告表示方法および広告表示プログラムの一実施形態について詳細に説明する。なお、以下では、本願の開示する広告表示システム、広告表示方法および広告表示プログラムの一実施形態として後述する実施例により、本願が開示する技術が限定されるものではない。
【実施例１】
【００１４】
図１は、実施例１に係る広告表示システムを示す図である。図１に示すように、広告表示システム５０は、複数の表示装置６０、コンテンツ配信装置７０および複数の注目度計測部８０を有する。注目度計測部８０は、表示装置６０に接続され、表示装置６０に表示される広告用コンテンツについての注目度を計測する。表示装置６０は、注目度計測部８０に接続され、異なる場所にそれぞれ設置される。コンテンツ配信装置７０は、表示装置６０と通信可能な状態に接続される。コンテンツ配信装置７０は広告調整部７１を有する。
【００１５】
広告調整部７１は、表示装置６０に表示される広告用コンテンツについて計測された当該広告用コンテンツへの注目度に基づいて、複数の表示装置６０の一つの表示装置６０に配信する広告用コンテンツを別の広告用コンテンツに差し替える。さらに、広告調整部７１は、差し替えられた広告用コンテンツを他の表示装置６０に配信する。
【００１６】
例えば、広告調整部７１は、ある表示装置６０にて注目度が低い広告用コンテンツを別の広告用コンテンツに差し替える。そして、広告調整部７１は、ある表示装置６０にて差し替えられた広告用コンテンツを、この表示装置６０とは別の場所に設置された他の表示装置６０に配信する。このようなことから、実施例１に係る広告表示システムは、広告用コンテンツがより注目を浴びる場所で表示されるように、広告用コンテンツの表示場所を最適化できる。
【実施例２】
【００１７】
［広告表示システムの構成（実施例２）］
図２は、実施例２に係る広告表示システムの構成を示す図である。図２に示すように、実施例２に係る広告表示システム５００は、表示装置１００Ａ〜１００Ｃと、注目度計測部２００Ａ〜２００Ｃと、コンテンツ配信装置３００とを有する。コンテンツ配信装置３００と表示装置１００Ａ〜１００Ｃとは、ネットワーク４００を介して、データのやり取りが可能な状態に接続される。また、表示装置１００Ａと注目度計測部２００Ａとは、データのやり取りが可能な状態に接続される。同様に、表示装置１００Ｂと注目度計測部２００Ｂとは、データのやり取りが可能な状態に接続される。同様に、表示装置１００Ｃと注目度計測部２００Ｃとは、データのやり取りが可能な状態に接続される。
【００１８】
なお、実施例２では、広告表示システム５００が、表示装置１００Ａ、表示装置１００Ｂ、表示装置１００Ｃの３つの表示装置を有する場合を説明するが、あくまで一例であり、３つ以上の表示装置を有してもよい。
【００１９】
表示装置１００Ａ〜１００Ｃは、ユーザに対して情報を提示する電子看板（Digital  Signage：デジタルサイネージ）や、ユーザに対してインタラクティブな情報を提供する大画面表示装置である。表示装置１００Ａ〜１００Ｃは、コンテンツ配信装置３００から配信された広告用コンテンツを受信すると、受信した広告用コンテンツを表示する。
【００２０】
例えば、表示装置１００Ａは、図２に示すように、通信制御部１１０Ａおよび広告表示制御部１２０Ａを有する。通信制御部１１０Ａは、コンテンツ配信装置３００との間でやり取りされる各種データに関する通信を制御する。また、広告表示制御部１２０Ａは、コンテンツ配信装置３００から受信した広告用コンテンツを表示出力する。なお、広告表示制御部１２０Ａは、コンテンツ配信装置３００から新たな広告用コンテンツを受信した場合には、それまでに表示していたコンテンツに切り替えて新たなコンテンツを表示する。なお、図２には示していないが、表示装置１００Ａ〜１００Ｃは同様の構成を有する。
【００２１】
また、表示装置１００Ａ〜１００Ｃは、注目度計測部２００Ａ〜２００Ｃから受信する計測データをコンテンツ配信装置３００に送信する。例えば、表示装置１００Ａは、コンテンツ配信装置３００から新たな広告用コンテンツを受信すると、新たな広告用コンテンツを受信するまでに注目度計測部２００Ａから単位時間ごとに受信していた計測データを集計する。そして、表示装置１００Ａは、それまでに表示していた広告用コンテンツに切り替えて新たな広告用コンテンツを表示するとともに、集計した計測データをコンテンツ配信装置３００に送信する。同様に、表示装置１００Ｂは、計測データをコンテンツ配信装置３００に送信する。同様に、表示装置１００Ｃは、計測データをコンテンツ配信装置３００に送信する。
【００２２】
注目度計測部２００Ａ〜２００Ｃは、例えば、表示装置１００Ａ〜１００Ｃの近傍に存在する人を撮影するカメラなどの撮影部を有し、撮影した画像内から人の顔を検出する機能を有する。あるいは、注目度計測部２００Ａ〜２００Ｃは、レーザレンジファインダ（laser  range  finder）を有し、このレーザレンジファインダを用いて表示装置１００Ａ〜１００Ｃの近傍に存在する人をリアルタイムに検知する。なお、人の顔を検出する技術については、例えば、「３６０度回転対応複数顔検出技術（OMRON  TECHNICS  Vol.43  No.1（通巻145号）  2003年）」を参照されたい。また、注目度計測部２００Ａ〜２００Ｃは、上述した図１に示す注目度計測部に対応する。
【００２３】
例えば、注目度計測部２００Ａは、カメラで撮影された画像からリアルタイムに人の顔を検出する。そして、注目度計測部２００Ａは、検出した顔の数を所定の単位時間ごとに集計し、集計値を計測データとして表示装置１００Ａに送信する。あるいは、注目度計測部２００Ａは、例えば、表示装置１００Ａの近傍に存在する人をリアルタイムに検出する。そして、注目度計測部２００Ａは、検出した人の数を所定の単位時間ごとに集計し、集計値を計測データとして表示装置１００Ａに送信する。同様に、注目度計測部２００Ｂも表示装置１００Ｂに計測データを送信する。同様に、注目度計測部２００Ｃも表示装置１００Ｃに計測データを送信する。
【００２４】
コンテンツ配信装置３００は、図２に示すように、通信制御部３１０と、記憶部３２０と、制御部３３０とを有する。通信制御部３１０は、表示装置１００Ａ〜１００Ｃとの間でやり取りされるデータに関する通信を制御する。
【００２５】
記憶部３２０は、広告用コンテンツ記憶部３２１と、属性情報記憶部３２２と、配信終了広告用コンテンツリスト記憶部３２３とを有する。なお、記憶部３２０は、例えば、ＲＡＭ（Random  Access  Memory）やフラッシュメモリ(flash  memory)などの半導体メモリ素子である。
【００２６】
広告用コンテンツ記憶部３２１は、表示装置１００Ａ〜１００Ｃに配信する広告用コンテンツのデータを記憶する。図３は、広告用コンテンツのデータ構造の一例を示す図である。図３に示すように、広告用コンテンツは、「コンテンツファイル」、「広告移動回数データ」、「表示済み表示装置データ」および「表示装置別注目度データ」を含んだデータ構造を有する。
【００２７】
「コンテンツファイル」は、広告用コンテンツのデータファイルである。「広告移動回数データ」は、該当コンテンツの配信場所が変更された回数を示すデータである。「表示済み表示装置データ」は、該当コンテンツを既に配信済みである表示装置を示すデータである。「表示装置別注目度データ」は、該当コンテンツについて算出された表示装置ごとの注目度を示すデータである。なお、図３に示す広告用コンテンツのデータ構造は一例であり、例えば、広告移動回数データを含まなくてもよい。
【００２８】
図４は、表示済み表示装置データの一例を示す図である。図４では、該当コンテンツを既に配信済みである表示装置として、例えば、表示装置１００Ａが記録されている状態を示す。
【００２９】
図５は、表示装置別注目度データの一例を示す図である。図５では、該当コンテンツについて、表示装置１００Ａにおける注目度「５５」、表示装置１００Ｂにおける注目度「１２５」、表示装置１００Ｃにおける注目度「９」が記録されている状態を示す。なお、図５に示す注目度は、コンテンツ配信装置３００において注目度が算出されるごとに更新される。
【００３０】
属性情報記憶部３２２は、表示装置ごとに、表示装置が設置されている場所の属性に関する情報を記憶する。属性情報とは、例えば、表示装置１００Ａ〜１００Ｃの各々が設置されている場所に集まる人の「年齢層」と、その場所に人が集まる「目的」の情報を有する。図６は、属性情報の一例を示す図である。例えば、図６には、表示装置１００Ａの属性情報として、年齢層「１０〜２０歳」、目的「遊び」が記録されている状態を示す。また、例えば、図６には、表示装置１００Ｂの属性情報として、年齢層「３０〜４０歳」、目的「ビジネス」が記録されている状態を示す。また、例えば、図６には、表示装置１００Ｃの属性情報として、年齢層「６０歳」、目的「買い物」が記録されている状態を示す。
【００３１】
図７は、配信終了コンテンツリストの一例を示す図である。配信終了コンテンツリスト記憶部３２３は、図７に示すように、配信を終了する「配信終了コンテンツ」と、表示装置ごとの注目度を記録する「注目度リストファイル」とが関連付けられた広告配信終了リストを記憶する。例えば、配信終了コンテンツリスト記憶部３２３は、図７に示すように、配信終了コンテンツである「広告８」と、注目度リストファイルである「ファイル１」とを関連付けて記憶する。
【００３２】
制御部３３０は、図２に示すように、広告調整部３３１を有する。なお、制御部３３０は、例えば、電子回路や集積回路である。電子回路としては、例えば、ＣＰＵ（Central  Processing  Unit）やＭＰＵ（Micro  Processing  Unit）があり、集積回路としては、例えば、ＡＳＩＣ（Application  Specific  Integrated  Circuit）やＦＰＧＡ（Field  Programmable  Gate  Array)などがある。
【００３３】
広告調整部３３１は、表示装置１００Ａ〜１００Ｃに配信する広告用コンテンツのスケジュールを調整する。この広告調整部３３１は、例えば、上述した図１に示す広告調整部７１および注目度算出部８０に対応する。広告調整部３３１は、図２に示すように、表示装置１００Ａ〜１００Ｃに配信する広告用コンテンツを待機させておくための作業用メモリを有する。作業用メモリには、表示装置ごとに記憶領域が設けられている。
【００３４】
図８は、広告調整部の処理内容の概要を示す図である。例えば、図８に示すように、広告調整部３３１は、作業用メモリに待機中の広告用コンテンツ「広告１」〜「広告１３」の中から、「広告１」、「広告３」、「広告７」および「広告８」を選択する。次に、広告調整部３３１は、「広告１」の単位時間当たりの注目度「８−１」、「広告３」の単位時間当たりの注目度「８−３」、「広告７」の単位時間当たりの注目度「８−７」、「広告８」の単位時間当たりの注目度「８−８」を算出する。そして、広告調整部３３１は、「広告１」、「広告３」、「広告７」および「広告８」について算出した各注目度のうち、注目度が低い「広告８」を別の「広告２」に差し替える。さらに、広告調整部３３１は、差し替えられた「広告８」を別の表示装置に配信する。
【００３５】
以下、図９〜図１４を用いて、広告調整部３３１による具体的な処理の内容について説明する。
【００３６】
［広告配信関連処理］
まず、図９を用いて、広告調整部３３１による広告配信関連処理の流れを説明する。図９は、実施例２に係る広告配信関連処理の流れを示す図である。広告配信関連処理は、配信する広告の選択、広告ごとの注目度の計測、広告ごとの注目度の判定を含む処理に該当する。なお、以下では、処理の流れの一例として、コンテンツ配信装置３００から表示装置１００Ａに広告を配信する場合についての処理の流れを説明する。
【００３７】
図９に示すように、広告調整部３３１は、予め設定された広告配信開始時刻に到達すると（ステップＳ９０１肯定）、表示装置１００Ａについての作業用メモリの記憶領域から表示設定数に対応する数の広告用コンテンツを選択する（ステップＳ９０２）。
【００３８】
ここで、ステップＳ９０２の具体例を説明する。例えば、広告調整部３３１は、作業用メモリに待機中の広告用コンテンツ「広告１」〜「広告１３」の中から、「広告１」、「広告３」、「広告７」および「広告８」をランダムに選択する。
【００３９】
そして、広告調整部３３１は、選択した広告用コンテンツにそれぞれ均等に広告時間を割り振る（ステップ９０３）。
【００４０】
ここで、ステップＳ９０３の具体例を説明する。例えば、広告調整部３３１は、作業用メモリから広告用コンテンツ「広告１」、「広告３」、「広告７」および「広告８」を選択した場合には、「広告１」、「広告３」、「広告７」および「広告８」のそれぞれに対して均等に広告時間を割り振る。仮に、１０時〜２２時まで広告を配信するスケジュールである場合には、広告調整部３３１は、１２時間を選択した広告の数で均等に分けて、「広告１」、「広告３」、「広告７」および「広告８」にそれぞれ３時間の広告時間を割り当てる。
【００４１】
次に、広告調整部３３１は、広告用コンテンツを配信する（ステップＳ９０４）。
【００４２】
ここで、ステップＳ９０４の具体例を説明する。例えば、広告調整部３３１は、作業用メモリから選択した広告用コンテンツを、「広告１」→「広告３」→「広告７」→「広告８」の順に配信することを決定する。そして、広告調整部３３１は、「広告１」、「広告３」、「広告７」および「広告８」の配信時間帯を設定する。例えば、広告調整部３３１は、１０時〜２２時まで広告を配信するスケジュールである場合には、「広告１」の配信時間帯を「１０：００〜１３：００」に設定する。同様に、広告調整部３３１は、「広告３」の配信時間帯を「１３：００〜１６：００」に設定する。同様に、広告調整部３３１は、「広告７」の配信時間帯は「１６：００〜１９：００」に設定する。同様に、広告調整部３３１は、「広告８」の配信時間帯は「１９：００〜２２：００」に設定する。
【００４３】
所定の広告配信スケジュールに従い、表示装置１００Ａに広告を配信している間、広告調整部３３１は、注目度計測装置２００Ａにより計測された計測データを表示装置１００Ａから取得する（ステップＳ９０５）。
【００４４】
続いて、広告調整部３３１は、配信中の広告用コンテンツが表示装置１００Ａに配信する最後の広告であるか否かを判定する（ステップＳ９０６）。判定の結果、最後の広告ではない場合には（ステップＳ９０６否定）、広告調整部３３１は、次の広告用コンテンツの配信時刻まで待機し（ステップＳ９０７）、次の広告用コンテンツを表示装置１００Ａに配信する。
【００４５】
一方、広告調整部３３１は、配信中の広告用コンテンツが表示装置１００Ａに配信する最後の広告である場合には（ステップＳ９０６肯定）、広告配信終了時刻まで待機する（ステップＳ９０８）。
【００４６】
広告配信終了時刻に到達すると、広告調整部３３１は、広告用コンテンツごとに取得した計測データを用いて、各広告用コンテンツの単位時間当たりの注目度を算出する（ステップＳ９０９）。
【００４７】
ここで、ステップＳ９０９の具体例を説明する。例えば、広告調整部３３１は、計測データを上述した広告時間で除算した値を注目度として算出する。仮に、「広告１」について取得した計測データが「２７（人）」である場合には、広告調整部３３１により、計測データ「２７」を広告時間「３（時間）」で除算することにより、注目度「９（人／時）」を算出する。同様にして、広告調整部３３１は、表示装置１００Ａに配信した残りの広告用コンテンツについても注目度を算出する。なお、広告調整部３３１は、例えば、図５に示すように、各広告用コンテンツについて算出した単位時間当たりの注目度を広告用コンテンツが有する「表示装置別注目度データ」の記憶領域に格納する。
【００４８】
次に、広告調整部３３１は、各広告用コンテンツについて算出した注目度を一つ選択する（ステップＳ９１０）。そして、広告調整部３３１は、選択した注目度が予め設定した閾値よりも大きいかどうかを判定する（ステップＳ９１１）。
【００４９】
広告調整部３３１は、判定の結果、選択した注目度が予め設定した閾値よりも大きい場合には（ステップＳ９１１肯定）、全ての注目度について閾値判定を完了したか否かを判定する（ステップＳ９１２）。
【００５０】
広告調整部３３１は、判定の結果、全ての注目度について閾値判定を終えている場合には（ステップＳ９１２肯定）、上述したステップＳ９０１の処理に戻る。例えば、広告調整部３３１は、翌日の最初の広告配信時刻の到達を待つ。
【００５１】
一方、広告調整部３３１は、判定の結果、全ての注目度について閾値判定を終えていない場合には（ステップＳ９１２否定）、上述したステップＳ９１１の処理に戻る。つまり、広告調整部３３１は、まだ閾値判定を行っていない次の注目度を選択して、予め設定した閾値よりも大きいかどうかを判定する。
【００５２】
ここで、ステップＳ９１１の説明に戻る。広告調整部３３１は、判定の結果、選択した注目度が予め設定した閾値よりも大きくない場合には（ステップＳ９１１否定）、次のような処理を行う。すなわち、広告調整部３３１は、注目度が予め設定した閾値よりも大きくなかった広告用コンテンツの配信停止を決定する。そして、広告調整部３３１は、配信停止を決定した広告用コンテンツに差し替える別の広告用コンテンツを作業用メモリから選択する（ステップＳ９１３）。
【００５３】
そして、広告調整部３３１は、差し替えられた該当コンテンツ、つまり配信停止を決定した広告用コンテンツを作業用メモリの「配信停止コンテンツ」の記憶領域に格納する（ステップＳ９１４）。
【００５４】
図１０は、作業用メモリのデータ内容の一例を示す図である。図１０に示すように、作業用メモリには、表示装置への配信対象となる「配信コンテンツ」と、表示装置において配信停止となった「配信停止コンテンツ」とが対応付けて記憶されている。例えば、広告調整部３３１は、上述したステップＳ９１１の判定の結果、「広告８」の配信停止を決定した場合には、表示装置１００Ａに対応する「配信停止コンテンツ」の記憶領域に、広告用コンテンツ「広告８」を格納する。
【００５５】
ステップＳ９１４の処理を完了すると、広告調整部３３１は、再び、上述したステップＳ９１２に移って、全ての注目度について閾値判定を完了したか否かを判定する。
【００５６】
以上で、広告調整部３３１による広告配信関連処理、すなわち、配信する広告の選択、広告ごとの注目度の計測、広告ごとの注目度の判定を含む処理の説明を終了する。なお、広告調整部３３１は、表示装置１００Ｂに広告を配信する場合や、表示装置１００Ｃに広告を配信する場合にも同様の処理を実行する。
【００５７】
以下、図１１を用いて、上述したステップＳ９１３に対応する広告調整部３３１の処理内容、つまり注目度の低い広告用コンテンツを他のコンテンツに差し替える方法について説明する。図１１は、作業用メモリに記憶される配信停止コンテンツと配信先表示装置との対応関係を示す図である。なお、図１１に示す配信停止コンテンツと配信先表示装置との対応関係は、図１３を用いて後に説明する表示装置検索処理１あるいは図１４を用いて後に説明する表示装置検索処理２により予め記録されている。
【００５８】
まず、広告調整部３３１が、注目度の低い広告用コンテンツを他のコンテンツに差し替える方法の概要を説明する。広告調整部３３１は、ある表示装置において注目度が低く、配信停止とされた広告用コンテンツを、その他の表示装置にて配信停止となった広告用コンテンツに差し替えられるかどうかを優先的に判断する。そして、広告調整部３３１は、他の表示装置にて配信停止となった広告用コンテンツに差し替えられない場合には、配信停止となった広告用コンテンツ以外で、配信可能な他の広告用コンテンツに差し替えるという手順で、コンテンツの差し替えを行う。以下、広告調整部３３１が、注目度の低い広告用コンテンツを他のコンテンツに差し替える方法について、具体例を交えつつ、説明する。
【００５９】
図１１には、表示装置のいずれかにおいて配信停止とされた配信停止コンテンツ「広告８」と、後述する表示装置検索処理１あるいは２によって「広告８」の新たな配信先に決定された「表示装置１００Ｂ」とが対応付けて記憶されている。また、図１１には、表示装置のいずれかにおいて配信停止とされた配信停止コンテンツ「広告１３」と、後述する表示装置検索処理１あるいは２により「広告１３」の新たな配信先に決定された「表示装置１００Ａ」とが対応付けて記憶されている。
【００６０】
広告調整部３３１は、例えば、表示装置１００Ａにて配信停止とされた「広告８」に差し替える広告用コンテンツを選択する場合、作業用メモリを参照して、この表示装置１００Ａが「配信先表示装置」として記憶されているか否かを判定する。
【００６１】
そして、広告調整部３３１は、「広告８」を配信停止にした表示装置１００Ａが作業用メモリの「配信先表示装置」として記憶されている場合には、次のようにして、「広告８」に差し替える広告用コンテンツを選択する。例えば、広告調整部３３１は、図１３に示すように、作業用メモリにて、「配信先表示装置」の「表示装置１００Ａ」に対応付けられた広告用コンテンツ「広告１３」を、「広告８」に差し替える広告用コンテンツとして選択する。なお、上述したように、「表示装置１００Ａ」と「広告１３」との対応関係は、図１３を用いて後に説明する表示装置検索処理１あるいは図１４を用いて後に説明する表示装置検索処理２により作業メモリに予め記録されているものとする。
【００６２】
一方、広告調整部３３１は、「広告８」を配信停止にした表示装置１００Ａが作業用メモリの「配信先表示装置」の記憶領域から検索されなかった場合には、次のようにして、「広告８」に差し替える広告用コンテンツを選択する。すなわち、広告調整部３３１は、例えば、図１０に示すように、表示装置１００Ａに対応する作業用メモリの「配信コンテンツ」の記憶領域を参照する。そして、広告調整部３３１は、「配信コンテンツ」の記憶領域に記憶されている広告用コンテンツ「広告１〜７、９〜１３」の中から、「広告８」に差し替える広告用コンテンツをランダムに１つ選択する。
【００６３】
［配信先決定処理］
次に、図１２を用いて、広告調整部３３１による広告用コンテンツの配信先決定処理の流れを説明する。図１２は、実施例２に係る配信先決定処理の流れを示す図である。配信先決定処理は、例えば、広告配信終了時刻から広告配信開始時刻までの所定の処理時間、すなわち、広告を配信するスケジュールの狭間で所定の処理時間を確保して実行する。
【００６４】
図１２に示すように、広告調整部３３１は、作業用メモリを参照して、新たな配信停止コンテンツが記憶されている場合には（ステップＳ１２０１肯定）、新たに記憶されている配信停止コンテンツを１つ選択する（ステップＳ１２０２）。
【００６５】
ここで、ステップＳ１２０１〜１２０２の具体例を説明する。例えば、広告調整部３３１は、作業用メモリに設けられた「配信停止コンテンツ」の記憶領域を参照する。そして、広告調整部３３１は、例えば、図１０に示すように、表示装置１００Ａに対応付けられた「配信停止コンテンツ」の記憶領域から「広告８」を選択する。なお、広告調整部３３１は、上述した図９に示すステップＳ９１４の処理において、配信停止コンテンツを作業用メモリ内に格納する場合に、例えば、配信停止コンテンツが新たに格納されたものか否かを識別するための識別データなどを付与しておく。
【００６６】
ステップＳ１２０３の説明に移る。広告調整部３３１は表示装置検索処理１を実行する（ステップＳ１２０３）。表示装置検索処理１は、配信停止コンテンツの新たな配信先とする表示装置を検索する処理である。なお、表示装置検索処理１については、図１３を用いて後述する。
【００６７】
広告調整部３３１は、表示装置検索処理１の結果、該当する表示装置、つまり配信停止コンテンツの新たな配信先とする表示装置があるか否かを判定する（ステップＳ１２０４）。判定の結果、広告調整部３３１は、該当する表示装置がある場合には（ステップＳ１２０４肯定）、該当する表示装置の中から１つ選択する（ステップＳ１２０５）。表示装置の選択後、広告調整部３３１は、選択した表示装置の情報と配信停止となった広告用コンテンツとを対応付けて作業用メモリに格納し（ステップＳ１２０６）、配信先決定処理を終了する。
【００６８】
ここで、上述したステップＳ１２０４〜１２０６の具体例を説明する。例えば、広告調整部３３１は、該当する表示装置に含まれる表示装置の中から「表示装置１００Ｂ」を選択する。そして、広告調整部３３１は、例えば、図１１に示すように、「広告８」と「表示装置１００Ｂ」とを対応付けて作業用メモリに格納する。
【００６９】
ここで、ステップＳ１２０４の説明に戻る。広告調整部３３１は、判定の結果、該当する表示装置がない場合には（ステップＳ１２０４否定）、表示装置検索処理２を実行する（ステップＳ１２０７）。なお、表示装置検索処理２については、図１４を用いて後述する。
【００７０】
そして、広告調整部３３１は、表示装置検索処理２の結果、該当する表示装置、つまり配信停止コンテンツの新たな配信先とする表示装置があるか否かを判定する（ステップＳ１２０８）。判定の結果、広告調整部３３１は、該当する表示装置がある場合には（ステップＳ１２０８肯定）、上述したステップＳ１２０５に移り、該当する表示装置の中から一つを選択する。表示装置の選択後、広告調整部３３１は、上述したステップＳ１２０６と同様に、選択した表示装置の情報と配信停止となった広告用コンテンツとを対応付けて作業用メモリに格納し、配信先決定処理を終了する。
【００７１】
ここで、ステップＳ１２０８の説明に戻る。広告調整部３３１は、判定の結果、該当する表示装置がない場合には（ステップＳ１２０８否定）、該当配信停止コンテンツの注目度を表示装置ごとに列挙した注目度リストを作成する（ステップＳ１２０９）。そして、広告調整部３３１は、例えば、図７に示すように、ステップＳ１２０９にて作成した注目度リストと、該当配信停止コンテンツとを対応付けて配信終了コンテンツリスト記憶部３２３に格納する（ステップＳ１２１０）。
【００７２】
続いて、広告調整部３３１は、作業用メモリに未選択の配信停止コンテンツがあるかどうかを判定する（ステップＳ１２１１）。判定の結果、未選択の配信停止コンテンツがある場合には（ステップＳ１２１１肯定）、広告調整部３３１は、上述したステップＳ１２０２に移り、未選択の配信停止コンテンツを一つ選択し、上述したステップＳ１２０３〜ステップＳ１２１０の処理を実行する。一方、未選択の配信停止コンテンツがない場合には（ステップＳ１２１１否定）、広告調整部３３１は配信先決定処理を終了する。そして、例えば、広告調整部３３１は、翌日の最初の広告配信時刻の到達を待つ。
【００７３】
以上で、広告調整部３３１による広告用コンテンツの配信先決定処理の説明を終了する。
【００７４】
［表示装置検索処理１］
続いて、図１３を用いて、広告調整部３３１による表示装置検索処理１の処理の流れを説明する。図１３は、実施例２に係る表示装置検索処理１の流れを示す図である。なお、以下では、図１２に示すステップＳ１２０１において配信停止コンテンツとして「広告８」が選択された場合を例に挙げて説明する。なお、配信停止コンテンツとして「広告８」以外が選択された場合も、以下に説明する図１３の処理と同様に処理が行われる。
【００７５】
図１３に示すように、広告調整部３３１は、図１０に示す作業用メモリを参照し、配信停止コンテンツと選択された「広告８」に対応付けられている「表示装置１００Ａ」を作業用メモリから取得する（ステップＳ１３０１）。
【００７６】
次に、広告調整部３３１は、例えば、図６に示す属性情報記憶部３２２に記憶された属性情報から、表示装置１００Ａについての「年齢層」の情報を取得する（ステップＳ１３０２）。ここで、ステップＳ１３０２の処理の具体例を説明する。例えば、広告調整部３３１は、図６に示すように、表示装置１００Ａについての「年齢層」の情報として「１０〜２０歳」を取得する。
【００７７】
続いて、広告調整部３３１は、配信停止コンテンツとして選択された「広告８」が有する「表示済み表示装置データ」を参照することにより、「広告８」をまだ配信していない表示装置の情報を取得する（ステップＳ１３０３）。そして、広告調整部３３１は、例えば、図６に示す属性情報記憶部３２２に記憶された属性情報から、ステップＳ１３０３にて取得した表示装置の情報に対応付けられている「年齢層」の情報を取得する（ステップＳ１３０４）。
【００７８】
ここで、ステップＳ１３０３〜ステップＳ１３０４の処理の具体例を説明する。広告調整部３３１は、例えば、「広告８」をまだ配信していない表示装置として、表示装置１００Ｂ」および「表示装置１００Ｃ」を取得する。そして、広告調整部３３１は、例えば、図６に示す属性情報記憶部３２２に記憶された属性情報から、表示装置１００Ｂについての「年齢層」の情報「３０〜４０歳」、表示装置１００Ｃについての「年齢層」の情報「６０歳以上」をそれぞれ取得する。
【００７９】
ステップＳ１３０５の説明に移る。広告調整部３３１は、上述したステップ１３０４にて取得された表示装置についての「年齢層」の情報と、上述したステップ１３０２にて取得された表示装置１００Ａについての「年齢層」の情報とを比較する（ステップＳ１３０５）。そして、広告調整部３３１は、表示装置１００Ａについての「年齢層」の情報とは異なる「年齢層」が設定された表示装置の情報を導出し（ステップＳ１３０６）、表示装置検索処理１を終了する。
【００８０】
ここで、ステップＳ１３０５〜ステップＳ１３０６の処理の具体例を説明する。例えば、広告調整部３３１は、表示装置１００Ｂについての「年齢層」の情報「３０〜４０歳」、表示装置１００Ｃについての「年齢層」の情報「６０歳以上」と、表示装置１００Ａについての「年齢層」の情報「１０〜２０歳」とを比較する。そして、広告調整部３３１は、表示装置１００Ａについての「年齢層」の情報「１０〜２０歳」とは異なる「年齢層」が設定された表示装置１００Ｂおよび１００Ｃを導出する。
【００８１】
以上で、表示装置検索処理１の説明を終了する。なお、広告調整部３３１は、ステップＳ１３０５にて導出された表示装置の情報から、上述した図１２に示すステップ１２０５の処理、すなわち表示装置を選択する処理を実行する。
【００８２】
［表示装置検索処理２］
続いて、図１４を用いて、広告調整部３３１による表示装置検索処理２の処理の流れを説明する。図１４は、実施例２に係る表示装置検索処理２の流れを示す図である。なお、以下では、図１２に示すステップＳ１２０１において配信停止コンテンツとして「広告８」が選択された場合を例に挙げて説明する。なお、配信停止コンテンツとして「広告８」以外が選択された場合も、以下に説明する図１４の処理と同様に処理が行われる。
【００８３】
図１４に示すように、広告調整部３３１は、例えば、図６に示す属性情報記憶部３２２に記憶された属性情報から、表示装置１００Ａについての「目的」の情報を取得する（ステップＳ１４０１）。ここで、ステップＳ１４０１の処理の具体例を説明する。例えば、広告調整部３３１は、図６に示すように、表示装置１００Ａについての「目的」の情報として「遊び」を取得する。
【００８４】
続いて、広告調整部３３１は、図６に示す属性情報記憶部３２２に記憶された属性情報から、配信停止コンテンツ「広告８」をまだ配信していない表示装置の情報に対応付けられている「目的」の情報を取得する（ステップＳ１４０２）。
【００８５】
ここで、ステップＳ１４０１〜ステップＳ１４０２の処理の具体例を説明する。広告調整部３３１は、「広告８」をまだ配信していない表示装置として、例えば、表示装置１００Ｂ」および「表示装置１００Ｃ」を取得する。そして、広告調整部３３１は、例えば、図６に示す属性情報記憶部３２２に記憶された属性情報から、表示装置１００Ｂについての「目的」の情報「ビジネス」、表示装置１００Ｃについての「目的」の情報「買い物」をそれぞれ取得する。
【００８６】
ステップＳ１４０３の説明に移る。広告調整部３３１は、上述したステップ１４０２にて取得された表示装置についての「目的」の情報と、上述したステップ１４０１にて取得された表示装置１００Ａについての「目的」の情報とを比較する（ステップＳ１４０３）。そして、広告調整部３３１は、表示装置１００Ａについての「目的」の情報とは異なる「目的」が設定された表示装置の情報を導出し（ステップＳ１４０４）、表示装置検索処理２を終了する。
【００８７】
ここで、ステップＳ１４０３〜ステップＳ１４０４の処理の具体例を説明する。例えば、広告調整部３３１は、表示装置１００Ｂについての「目的」の情報「ビジネス」、表示装置１００Ｃについての「目的」の情報「買い物」と、表示装置１００Ａについての「目的」の情報「遊び」とを比較する。そして、広告調整部３３１は、表示装置１００Ａについての「目的」の情報「遊び」とは異なる「目的」が設定された表示装置１００Ｂおよび１００Ｃを導出する。
【００８８】
以上で、表示装置検索処理２の説明を終了する。なお、広告調整部３３１は、ステップＳ１４０４にて導出された表示装置の情報から、上述した図１２に示すステップ１２０５の処理、すなわち表示装置を選択する処理を実行する。
【００８９】
［実施例２による効果］
上述してきたように、実施例２では、広告調整部３３１は、注目度が低い広告用コンテンツを別のコンテンツに差し替える。さらに、広告調整部３３１は、差し替えられた広告用コンテンツを別の表示装置に配信する。このようなことから、実施例２によれば、広告用コンテンツがより注目を浴びる場所で表示されるように、広告用コンテンツの表示場所を最適化できる。
【００９０】
また、実施例２では、差し替えられた広告用コンテンツを別の表示装置に配信する場合に、表示装置ごとに設定された属性情報が異なる表示装置を新たな配信先として選択する。このようなことから、より効率的に広告用コンテンツの表示場所を最適化できる。
【００９１】
なお、上述してきた実施例２では、広告用コンテンツが表示装置にて表示される広告時間を均等に割り振る場合を説明したが、これに限定されるものではない。例えば、広告用コンテンツごとに算出された注目度が高いほど、広告時間が長くなるように広告時間を割り振ってもよい。
【実施例３】
【００９２】
［広告表示システムの構成（実施例３）］
図１５は、実施例３に係る広告表示システムの構成を示す図である。なお、実施例３に係る広告表示システムの構成は、実施例２に係るコンテンツ表示システムと基本的に同様の構成であるが、広告用コンテンツのデータ構造およびコンテンツ配信装置３００が時間帯変更部３３２を有する点が異なる。
【００９３】
図１６は、広告用コンテンツのデータ構造の一例を示す図である。広告用コンテンツ記憶部３２１に記憶される広告用コンテンツは、配信時間帯別の表示装置別注目度データを含んだデータ構造を有する点が実施例２とは異なる。
【００９４】
図１７は、表示装置別注目度データの一例を示す図である。図１７は、広告用コンテンツ「広告１」について、配信時間帯別の表示装置別注目度データのデータ構造を示している。図１７に示すように、表示装置別注目度データは、広告用コンテンツ「広告１」について、表示装置１００Ａ〜表示装置１００Ｃにおける注目度のデータを有する。さらに、表示装置別注目度データは、コンテンツの配信時間帯「１０：００〜１３：００」、「１３：００〜１６：００」、「１６：００〜１９：００」、「１９：００〜２２：００」ごとの注目度データを有する。例えば、表示装置１００Ａの表示装置別注目度データは、「１０：００〜１３：００」に「１２３４」、「１３：００〜１６：００」に「１３４５」、「１６：００〜１９：００」に「１４５６」、「１９：００〜２２：００」に「１５６７」のデータを有する。また、表示装置１００Ｂの表示装置別注目度データは、「１０：００〜１３：００」に「２３４５」、「１３：００〜１６：００」に「２４５６」、「１６：００〜１９：００」に「２５６７」、「１９：００〜２２：００」に「２６７８」のデータを有する。また、表示装置１００Ｃの表示装置別注目度データは、「１０：００〜１３：００」に「３４５６」、「１３：００〜１６：００」に「３５６７」、「１６：００〜１９：００」に「３６７８」、「１９：００〜２２：００」に「３７８９」のデータを有する。
【００９５】
制御部３３０は、図１５に示すように、広告調整部３３１の他に、時間帯変更部３３２を新たに有する。以下、時間帯変更部３３２による具体的な処理の内容について説明する。
【００９６】
［時間帯変更処理（実施例３）］
図１８は、実施例３に係る時間帯変更処理の流れを示す図である。時間帯変更処理部３３２により時間帯変更処理は、広告用コンテンツの配信時間帯を変更する処理である。実施例３に係る時間帯変更処理は、図１８に示すステップＳ１８１３〜ステップＳ１８１６、ステップＳ１８１７が、上述した図９に示す処理とは異なる。よって、以下では、この異なる処理について説明する。なお、以下では、図１８に示す「該当コンテンツ」として「広告１」を例に挙げ、「広告１」の配信時間帯を変更する場合を説明する。
【００９７】
時間帯変更部３３２は、例えば、「広告１」の注目度が閾値よりも大きくないと広告調整部３３１により判定された場合には（ステップＳ１８１１否定）、「広告１」について各配信時間帯で注目度の計測を行ったかどうかを判定する（ステップＳ１８１３）。
【００９８】
ここで、上述したステップＳ１８１３の具体例を説明する。例えば、時間帯変更部３３２は、「１０：００〜１３：００」、「１３：００〜１６：００」、「１６：００〜１９：００」、「１９：００〜２２：００」の全ての配信時間帯で「広告１」の注目度を計測したか否かを判定する。
【００９９】
ステップＳ１８１３の説明に戻る。時間帯変更部３３２は、判定の結果、例えば、「広告１」について各配信時間帯で注目度の計測を行っていない場合には（ステップＳ１８１３否定）、注目度が未計測である配信時間帯を一つ選択し、「広告１」の配信時間帯を変更する（ステップＳ１８１４）。
【０１００】
ここで、上述したステップＳ１８１４の具体例を説明する。例えば、「１０：００〜１３：００」の配信時間帯について「広告１」の注目度の計測を終えている場合には、「１３：００〜１６：００」、「１６：００〜１９：００」、「１９：００〜２２：００」の中から配信時間帯を一つ選択する。
【０１０１】
ステップＳ１８１４以降の説明に戻る。時間帯変更部３３２は、「広告１」の配信時間帯を変更した後、ステップＳ１８１２に処理を実行する。なお、ステップＳ１８１２の処理は、上述した図９に示すステップＳ９１２と同様の処理である。すなわち、ステップＳ１８０９にて算出された全ての注目度について閾値判定を終了したか否かを判定する。
【０１０２】
ステップＳ１８１３の説明に戻る。一方、時間帯変更部３３２により、例えば、「広告１」について各配信時間帯で注目度の計測を行っていると判定された場合には（ステップＳ１８１３肯定）、広告調整部３３１は、ステップＳ１８１５およびステップＳ１８１６の処理を実行する。なお、ステップＳ１８１５およびステップＳ１８１６の処理は、上述した図９に示すステップＳ９１３およびステップＳ９１４と同様の処理である。例えば、広告調整部３３１は、作業用メモリを参照して、「広告１」に差し替える別の広告用コンテンツを選択する（ステップＳ１８１５）。そして、広告調整部３３１は、「広告１」を配信停止コンテンツとして作業用メモリに格納する（ステップＳ１８１６）。
【０１０３】
そして、ステップＳ１８１２の処理において、ステップＳ１８０９にて算出された全ての注目度について閾値判定を終了していると広告調整部３３１により判定された場合には（ステップＳ１８１２肯定）、時間帯変更部３３２は、ステップＳ１８１７の処理を実行する。すなわち、時間帯変更部３３２は、広告用コンテンツの配信時間帯を再設定する（ステップＳ１８１７）。
【０１０４】
［実施例３による効果］
上述してきたように、実施例３では、時間帯変更部３３２は、注目度が低かった広告用コンテンツを別の広告用コンテンツに差し替える前に、注目度が低かった広告用コンテンツ配信時間帯を変更する。このようなことから、広告用コンテンツを配信する時間帯を最適化することができる。
【０１０５】
なお、広告調整部３３１は、注目度が閾値を下回った全ての広告用コンテンツについて、配信可能な全ての配信時間帯で配信を完了した場合には、それらの広告用コンテンツの中で、注目度が最も低いコンテンツを別のコンテンツに差し替えるようにしてもよい。
【実施例４】
【０１０６】
上述した実施例３では、広告用コンテンツの注目度が閾値よりも大きくなかった場合に、広告用コンテンツの配信時間帯を変更する処理を説明したが、これに限定されるものではない。例えば、広告用コンテンツの注目度が閾値よりも大きかった場合に、広告用コンテンツの配信時間帯を変更するようにしてもよい。
【０１０７】
［時間帯変更処理（実施例４）］
図１９は、実施例４に係る時間帯変更処理の流れを示す図である。実施例４に係る時間帯変更処理は、図１９に示すステップＳ１９１５〜ステップＳ１９１７、ステップＳ１９１８が、上述した図９に示す処理とは異なる。よって、以下では、この異なる処理について説明する。なお、以下では、上述した実施例３と同様に、図１９に示す「該当コンテンツ」として「広告１」を例に挙げ、「広告１」の配信時間帯を変更する場合を説明する。
【０１０８】
時間帯変更部３３２は、例えば、「広告１」の注目度が閾値よりも大きいと広告調整部３３１により判定された場合に（ステップＳ１９１１肯定）、「広告１」について各配信時間帯で注目度の計測を行ったかどうかを判定する（ステップＳ１９１５）。
【０１０９】
判定の結果、例えば、「広告１」について各配信時間帯で注目度の計測を行っていない場合には（ステップＳ１９１５否定）、時間帯変更部３３２は、注目度が未計測である配信時間帯を一つ選択し、「広告１」の配信時間帯を変更する（ステップＳ１９１６）。
【０１１０】
一方、判定の結果、例えば、「広告１」について各配信時間帯で注目度の計測を行っている場合には（ステップＳ１９１５肯定）、時間帯変更部３３２は、注目度の最も高かった時間帯に「広告１」の配信時間帯を固定する（ステップＳ１９１７）。
【０１１１】
そして、ステップＳ１９１４の処理において、ステップＳ１９０９にて算出された全ての注目度について閾値判定を終了していると広告調整部３３１により判定された場合には（ステップＳ１９１４肯定）、時間帯変更部３３２は、ステップＳ１９１８の処理を実行する。すなわち、時間帯変更部３３２は、広告用コンテンツの配信時間帯を再設定する（ステップＳ１９１８）。
【０１１２】
［実施例４による効果］
上述してきたように、実施例４では、時間帯変更部３３２は、ある程度の注目度を得られている広告用コンテンツの時間帯を注目度の計測を行っていない別の時間帯に変更する。そして、最も注目度が高かった時間帯に広告用コンテンツの配信時間帯を固定する。このようなことから、ある程度の注目度が得られている広告用コンテンツを、より注目度が得られる時間帯で配信されるように調整できる。
【実施例５】
【０１１３】
以下、本願の開示する広告表示システム、広告表示方法および広告表示プログラムの他の実施形態を説明する。
【０１１４】
（１）広告スケジュールの授受によるコンテンツ配信方法
上述した実施例２〜４では、コンテンツ配信装置３００と表示装置１００Ａ〜１００Ｃとが逐次連携しながら、コンテンツの配信を進めていく方法を説明したが、これに限定されるものではない。例えば、コンテンツ配信装置３００にて表示装置ごとに、広告用コンテンツを表示させる個別の広告スケジュールを作成する。そして、コンテンツ配信装置３００は、表示装置ごとに個別に作成した広告スケジュール、および広告用コンテンツを表示装置にそれぞれ送信する。各表示装置は、コンテンツ配信装置３００から受信した広告スケジュールに従い、広告用コンテンツを表示する。その後、コンテンツ配信装置３００は、所定の単位で、表示装置の広告実行状況を確認しにいき、各表示装置における広告への注目度を評価する。そして、コンテンツ配信装置３００は、各表示装置における広告への注目度の評価結果に基づいて、表示装置ごとに広告スケジュールの見直しを行い、見直した広告スケジュールを表示装置にそれぞれ送信して、次の広告表示に反映させる。
【０１１５】
例えば、コンテンツ配信装置３００が広告スケジュールを見直すタイミングとしては、例えば、１日単位で立てた広告スケジュールを１日ごとに見直す場合や、３日ごと、あるいは１週間ごとに見直す場合など様々なケースを適宜変更して採用できる。
【０１１６】
（２）装置構成等
例えば、図２に示した広告表示システム５００の構成は機能概念的なものであり、必ずしも物理的に図示の如く構成されていることを要しない。例えば、図２に示す表示装置１００Ａと注目度計測部２００Ａとを機能的または物理的に統合してもよい。また、例えば、図１５に示すコンテンツ配信装置３００の各構成要素は機能概念的なものであり、必ずしも物理的に図示の如く構成されていることを要しない。例えば、広告調整部３３１と時間帯変更部３３２とを機能的または物理的に統合してもよい。このように、広告表示システム５００あるいはコンテンツ配信装置３００の全部または一部を、各種の負荷や使用状況などに応じて、任意の単位で機能的または物理的に分散・統合して構成することができる。
【０１１７】
（３）広告表示方法
上述してきた実施例により、以下に説明するような処理を含む広告調整ステップをコンテンツ配信装置３００に行わせる広告表示方法が実現される。すなわち、コンテンツ配信装置３００は、例えば、表示装置１００Ａに表示される広告用コンテンツについて計測された当該広告用コンテンツへの注目度に基づいて、表示装置１００Ａに配信する広告用コンテンツを別の広告用コンテンツに差し替える。さらに、コンテンツ配信装置３００は、差し替えられた広告用コンテンツを表示装置１００Ａ以外の表示装置に配信する。これらの処理を含む広告調整ステップは、コンテンツ配信装置３００が有する広告調整部３３１が行う。
【０１１８】
（４）広告表示プログラム
また、例えば、上述の実施例にて説明したコンテンツ配信装置３００により実行される各種の処理は、あらかじめ用意されたプログラムをパーソナルコンピュータやワークステーションなどのコンピュータシステムで実行することによって実現することもできる。なお、広告表示システム５００の各種の処理については、例えば、図１１〜１４、図１８または図１９等を参照されたい。
【０１１９】
そこで、以下では、図２０を用いて、上述の実施例にて説明したコンテンツ配信装置３００により実行される処理と同様の機能を実現する広告表示プログラムを実行するコンピュータの一例を説明する。図２０は、広告表示プログラムを実行するコンピュータの一例を示す図である。
【０１２０】
図２０に示すように、コンテンツ配信装置３００として機能するコンピュータ６００は、各種演算処理を実行するＣＰＵ（Central  Processing  Unit）６１０と、ユーザからのデータの入力を受け付ける入力装置６２０と、モニタ６３０を有する。
【０１２１】
また、コンピュータ６００は、図２０に示すように、記憶媒体からプログラム等を読取る媒体読取装置６４０と、ネットワークを介して他のコンピュータとの間でデータの授受を行うネットワークインターフェース装置６５０を有する。また、コンピュータ６００は、図２０に示すように、各種情報を一時記憶するＲＡＭ（Random  Access  Memory）６６０と、ハードディスク装置６７０とを有する。そして、各装置６１０〜６７０は、バス６８０に接続される。
【０１２２】
なお、入力装置６２０は、例えば、キーボードやマウスなどである。モニタ６３０は、例えば、入力装置６２０であるマウスと協働して、ポインティングデバイス機能を実現する。また、モニタ６３０は、各種の情報を表示する表示デバイスであり、ディスプレイやタッチパネルなどで代用が可能である。なお、入力装置６２０であるマウスによってポインティングデバイス機能が実現される場合に限られるものではなく、タッチパッドなどの他の入力デバイスによりポインティングデバイス機能が実現されてもよい。
【０１２３】
また、ＣＰＵ６１０の代わりに、例えば、ＭＰＵ（Micro  Processing  Unit）などの電子回路、ＡＳＩＣ（Application  Specific  Integrated  Circuit）やＦＰＧＡ(Field  Programmable  Gate  Array)などの集積回路を用いることもできる。また、ＲＡＭ６６０の代わりに、フラッシュメモリ(flash  memory)などの半導体メモリ素子を用いることもできる。
【０１２４】
ハードディスク装置６７０には、上述したコンテンツ配信装置３００の機能と同様の機能を発揮する広告表示プログラム６７１および広告表示用データ６７２が記憶されている。なお、この広告表示プログラム６７１を適宜分散させて、ネットワークを介して通信可能に接続された他のコンピュータの記憶部に記憶させておくこともできる。
【０１２５】
そして、ＣＰＵ６１０が、広告表示プログラム６７１をハードディスク装置６７０から読み出してＲＡＭ６６０に展開することにより、図２０に示すように、広告表示プログラム６７１は広告表示プロセス６６１として機能する。広告表示プロセス６６１は、広告表示用データ６７２から読み出した情報等を適宜ＲＡＭ６６０上の自身に割当てられた領域に展開し、この展開した各種データに基づいて各種処理を実行する。
【０１２６】
なお、広告表示プロセス６６１は、例えば、図２に示したコンテンツ配信装置３００の制御部３３０および図１５に示したコンテンツ配信装置の制御部３３０にて実行される処理を含む。
【０１２７】
なお、広告表示プログラム６７１については、必ずしも最初からハードディスク装置６７０に記憶させておく必要はない。例えば、コンピュータ６００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ６００がこれらから各プログラムを読み出して実行するようにしてもよい。
【０１２８】
さらには、公衆回線、インターネット、ＬＡＮ、ＷＡＮなどを介してコンピュータ６００に接続される「他のコンピュータ（またはサーバ）」などに各プログラムを記憶させておく。そして、コンピュータ６００がこれらから各プログラムを読み出して実行するようにしてもよい。
【０１２９】
以上の実施例を含む実施形態に関し、さらに以下の付記を開示する。
【０１３０】
（付記１）表示される広告用コンテンツについての注目度を計測する注目度計測部を有し、異なる場所に設置される複数の表示装置と、
前記複数の表示装置に接続され、前記複数の表示装置に表示される広告用コンテンツのそれぞれの注目度に基づいて、前記複数の表示装置の一つの表示装置に配信する広告用コンテンツを別の広告用コンテンツに差し替えるとともに、当該差し替えられた広告用コンテンツを他の表示装置に配信する広告調整部を有するコンテンツ配信装置と
を有することを特徴とする広告表示システム。
【０１３１】
（付記２）前記広告調整部は、前記表示装置に配信した複数の広告用コンテンツの中から、前記注目度が所定の閾値を下回っている広告用コンテンツを差し替えることを特徴とする付記１に記載の広告表示システム。
【０１３２】
（付記３）前記表示装置が設置される場所の属性情報を記憶する属性情報記憶部をさらに有し、
前記広告調整部は、前記差し替えられた広告用コンテンツを他の表示装置に配信する場合に、前記属性情報記憶部に記憶されている前記属性情報を参照し、前記差し替えられた広告用コンテンツを表示していた表示装置の属性とは異なる属性を有する表示装置に当該差し替えられた広告用コンテンツを配信することを特徴とする付記１または２に記載の広告表示システム。
【０１３３】
（付記４）前記広告用コンテンツの配信時間帯を変更する時間帯変更部をさらに有することを特徴とする付記１に記載の広告表示システム。
【０１３４】
（付記５）前記時間帯変更部は、前記注目度が所定の閾値を下回っている広告用コンテンツを差し替える前に、当該広告用コンテンツの配信時間帯を変更することを特徴とする付記４に記載の広告表示システム。
【０１３５】
（付記６）前記広告調整部は、前記時間帯変更部により前記広告用コンテンツに配信時間帯を変更した後、配信時間帯が変更された各広告用コンテンツの中で、前記注目度が最も低い広告用コンテンツを差し替えることを特徴とする付記１に記載の広告表示システム。
【０１３６】
（付記７）前記時間帯変更部は、前記注目度が所定の閾値を上回っている広告用コンテンツの配信時間帯を変更することを特徴とする付記５に記載の広告表示システム。
【０１３７】
（付記８）表示される広告用コンテンツについての注目度を計測する注目度計測部を有し、異なる場所に設置される複数の表示装置に接続され、該複数の表示装置に表示される広告用コンテンツのそれぞれの注目度に基づいて、該複数の表示装置の一つの表示装置に配信する広告用コンテンツを別の広告用コンテンツに差し替えるとともに、当該差し替えられた広告用コンテンツを他の表示装置に配信するコンテンツ配信装置が行う広告調整ステップを含むことを特徴とする広告表示方法。
【０１３８】
（付記９）表示される広告用コンテンツについての注目度を計測する注目度計測部を有し、異なる場所に設置される複数の表示装置に接続され、該複数の表示装置に表示される広告用コンテンツのそれぞれの注目度に基づいて、該複数の表示装置の一つの表示装置に配信する広告用コンテンツを別の広告用コンテンツに差し替えるとともに、当該差し替えられた広告用コンテンツを他の表示装置に配信する広告調整手順をコンピュータに実行させることを特徴とする広告表示プログラム。
【符号の説明】
【０１３９】
５０  広告表示システム
６０  表示装置
７０  コンテンツ配信装置
７１  広告調整部
１００Ａ〜１００Ｃ  表示装置
２００Ａ〜２００Ｃ  注目度計測部
３００  コンテンツ配信装置
３１０  通信制御部
３２０  記憶部
３２１  広告用コンテンツ記憶部
３２２  属性情報記憶部
３２３  配信終了広告用コンテンツリスト記憶部
３３０  制御部
３３１  広告調整部
３３２  時間帯変更部
４００  ネットワーク
５００  広告表示システム
６００  コンピュータ
６１０  ＣＰＵ
６２０  入力装置
６３０  モニタ
６４０  媒体読取装置
６５０  ネットワークインターフェース装置
６６０  ＲＡＭ
６６１  広告表示プロセス
６７０  ハードディスク装置
６７１  広告表示プログラム
６７２  広告表示用データ
【図１】
2011197475.tif 000003
【図２】
2011197475.tif 000004
【図３】
2011197475.tif 000005
【図４】
2011197475.tif 000006
【図５】
2011197475.tif 000007
【図６】
2011197475.tif 000008
【図７】
2011197475.tif 000009
【図８】
2011197475.tif 000010
【図９】
2011197475.tif 000011
【図１０】
2011197475.tif 000012
【図１１】
2011197475.tif 000013
【図１２】
2011197475.tif 000014
【図１３】
2011197475.tif 000015
【図１４】
2011197475.tif 000016
【図１５】
2011197475.tif 000017
【図１６】
2011197475.tif 000018
【図１７】
2011197475.tif 000019
【図１８】
2011197475.tif 000020
【図１９】
2011197475.tif 000021
【図２０】
2011197475.tif 000022